(57)【要約】【課題】内蔵するタッチパネルへのタッチ操作と外部表示装置のタッチパネルへのタッチ操作が同時に検出された場合でもタッチ操作に応じたクローン表示が可能な情報処理装置の提供。【解決手段】情報処理装置２は、タッチパネル３１付きの外部表示装置３に接続可能であり、タッチパネル２１付きの表示部２４を内蔵し、さらに、外部のタッチパネル３１へのタッチ操作情報と内蔵のタッチパネル２１に対するタッチ操作情報とを受信し、いずれか一方を出力する操作処理部２５ａと、該操作処理部２５ａからのタッチ操作情報を受信し、外部表示装置３と表示部２４とにクローン表示する出力画像を生成する出力画像生成部２５ｂを備え、操作処理部２５ａが、外部のタッチパネル３１へのタッチ操作情報と、内蔵のタッチパネル２１に対するタッチ操作情報とが同時に入力された場合、前者のタッチ操作情報を優先して出力する。【選択図】図２
2015122012.tif 000002
【特許請求の範囲】
【請求項１】
タッチパネル付きの外部表示装置に接続可能であり、
内蔵するタッチパネルと画像を表示する表示部と、を有し、
さらに、前記外部表示装置のタッチパネルへのタッチ操作情報と、前記内蔵するタッチパネルに対するタッチ操作情報とを受信し、いずれか一方を出力する操作処理部と、
該操作処理部が出力したタッチ操作情報を受信し、該タッチ操作情報に応じた画像を前記外部表示装置と前記表示部とにクローン表示するための出力画像を生成する出力画像生成部を備え、
前記操作処理部は、前記外部表示装置のタッチパネルへのタッチ操作情報と、前記内蔵するタッチパネルに対するタッチ操作情報とが同時に入力された場合、前記外部表示装置のタッチパネルへのタッチ操作情報を優先して出力することを特徴とする情報処理装置。
【請求項２】
前記内蔵するタッチパネルに対する連続タッチ時間を計時するタイマを備え、
前記連続タッチ時間が所定時間以上の場合、前記操作処理部は、前記外部表示装置のタッチパネルへのタッチ操作情報のみを出力することを特徴とする請求項１に記載の情報処理装置。
【発明の詳細な説明】
【技術分野】
【０００１】
本発明は、スマートフォンなどの情報処理装置に関し、特に、表示部を備えると共に外部表示装置に接続可能であり、表示部及び外部表示装置に同時に画像を表示する情報処理装置に関する。
【背景技術】
【０００２】
近年、スマートフォンやＰＤＡ（Personal Digital Assistant）などの携帯端末が急速に普及している。このような携帯端末は、省スペース性及び簡易操作性を実現するために、ユーザによるタッチ操作を受け付けるタッチパネルが表示部上に設けられている。
また、このような携帯端末には、内蔵する表示部と、外部接続された外部表示装置とに同時に表示を行うものがある（例えば特許文献１参照）。なお、内蔵する表示部と外部表示装置とに同時に同じ画像を表示する技術をクローン表示やミラー表示といい、別々の画像を表示する技術をマルチ表示という。
【先行技術文献】
【特許文献】
【０００３】
【特許文献１】特開２０１１−２１７２３６号公報
【発明の開示】
【発明が解決しようとする課題】
【０００４】
クローン表示を行う場合において、携帯端末だけでなく外部表示装置にもタッチパネルを設け、外部表示装置のタッチパネルへのタッチ操作に応じた画像を同時に表示することが考えられている。
この場合、携帯端末のタッチパネル付き表示部の上に意図せずに物が置いてある等して、携帯端末のタッチパネルへのタッチ操作と外部表示装置のタッチパネルへのタッチ操作が同時に検出されたときに、携帯端末はいずれのタッチ操作に応答するのか判別がつかないという不具合が生ずる。
この問題に関し、特許文献１には開示も示唆もされていない。
【０００５】
本発明は、上述のような実情に鑑みてなされたものであり、内蔵するタッチパネルへのタッチ操作と外部表示装置のタッチパネルへのタッチ操作が同時に検出された場合でもタッチ操作に応じたクローン表示が可能な情報処理装置を提供することをその目的とする。
【課題を解決するための手段】
【０００６】
上記課題を解決するために、本発明の第１の技術手段は、タッチパネル付きの外部表示装置に接続可能であり、内蔵するタッチパネルと、画像を表示する表示部と、を有し、さらに、前記外部表示装置のタッチパネルへのタッチ操作情報と、前記内蔵するタッチパネルに対するタッチ操作情報とを受信し、いずれか一方を出力する操作処理部と、該操作処理部が出力したタッチ操作情報を受信し、該タッチ操作情報に応じた画像を前記外部表示装置と前記表示部とにクローン表示するための出力画像を生成する出力画像生成部を備え、前記操作処理部が、前記外部表示装置のタッチパネルへのタッチ操作情報と、前記内蔵するタッチパネルに対するタッチ操作情報とが同時に入力された場合、前記外部表示装置のタッチパネルへのタッチ操作情報を優先して出力することを特徴としたものである。
【０００７】
本発明の第２の技術手段は、第１の技術手段において、前記内蔵するタッチパネルに対する連続タッチ時間を計時するタイマを備え、前記連続タッチ時間が所定時間以上の場合、前記操作処理部が、前記外部表示装置のタッチパネルへのタッチ操作情報のみを出力することを特徴としたものである。
【発明の効果】
【０００８】
本発明の情報処理装置によれば、内蔵するタッチパネルへのタッチ操作と外部表示装置のタッチパネルへのタッチ操作が同時に検出された場合でもタッチ操作に応じたクローン表示を行うことができる。
【図面の簡単な説明】
【０００９】
【図１】本発明の第１の実施形態に係わる表示システムの構成例を示す図である。
【図２】図１の情報処理装置と外部表示装置の機能的な構成例を示すブロック図である。
【図３】図２の情報処理装置の処理例を説明するフローチャートである。
【図４】図３の処理を行った場合における情報処理装置及び外部表示装置の動作例を説明する図である。
【図５】図２の情報処理装置の他の処理例を説明するフローチャートである。
【図６】本発明の第２の実施形態に係わる情報処理装置と外部表示装置の機能的な構成例を示すブロック図である。
【図７】図４の情報処理装置の処理例を説明するフローチャートである。
【発明を実施するための形態】
【００１０】
以下、図面を参照しながら、本発明の情報処理装置の好適な実施形態について説明する。なお、以下の発明において、異なる図面においても同じ符号を付した構成やステップは同様のものであるとして、その説明を省略する。
【００１１】
図１は、本発明の第１の実施形態に係わる表示システムの構成例を示す図である。
図１の表示システム１は、情報処理装置２と外部表示装置３とが通信ケーブル４を介して通信可能に接続されている。情報処理装置２と外部表示装置３との接続方法は有線接続に限られず、無線接続であってもよい。
【００１２】
情報処理装置２は、例えば、いわゆるスマートフォンやタブレットＰＣ（Personal Computer）であり、外部表示装置３は、例えば、液晶表示装置から構成される。情報処理装置２で表示する画像を外部表示装置３に送信し、外部表示装置３では情報処理装置２と同じ画像を表示することで、表示システム１ではクローン表示を行う。
【００１３】
また、情報処理装置２及び外部表示装置３は共にタッチパネルを備え、タッチ操作を検出可能である。
表示システム１では、情報処理装置２へタッチ操作が行われると、情報処理装置２がそのタッチ操作情報に従ってスクロール処理等の所定の処理を実行し該所定の処理後の画像データを生成し、情報処理装置２と外部表示装置３とでこれを表示する。
また、表示システム１では、外部表示装置３へタッチ操作が行われると、外部表示装置３がそのタッチ操作情報を情報処理装置２へ送信し、情報処理装置２ではこのタッチ操作情報に従って、当該情報処理装置２がスクロール処理等の所定の処理を実行し該所定の処理後の画像データを生成し、情報処理装置２と外部表示装置３とでこれを表示する。
【００１４】
一方、情報処理装置２と外部表示装置３とで同時にタッチ操作が検出された場合、表示システム１では、情報処理装置２が、外部表示装置３から受信したタッチ操作情報を優先し、該タッチ操作情報に従って所定の処理後の画像データを生成し、クローン表示用の画像データとする。
【００１５】
図２は、図１の情報処理装置２と外部表示装置３の機能的な構成例を示すブロック図である。
情報処理装置２は、タッチパネル２１、情報通信部２２、画像通信部２３、表示部２４及び制御部２５を含んで構成され、制御部２５は、操作処理部２５ａ及び出力画像生成部２５ｂを含んで構成される。
外部表示装置３は、タッチパネル３１、情報通信部３２、画像通信部３３及び表示部３４を含んで構成される。
【００１６】
情報処理装置２のタッチパネル２１は、表示部２４の表示領域を覆うように貼付されており、ユーザの指などによるタッチ操作を検出する。タッチパネル２１は、検出したタッチ操作を表す情報である本体タッチ操作情報を、操作処理部２５ａに入力する。
【００１７】
情報通信部２２は、外部表示装置３が接続された場合、その接続情報を操作処理部２５ａに入力する。また、情報通信部２２は、外部表示装置３に対するタッチ操作を示す後述の外部タッチ操作情報を通信ケーブル４を介して外部表示装置３から受信し、操作処理部２５ａに入力する。
【００１８】
制御部２５の操作処理部２５ａは、タッチパネル２１から入力された本体タッチ操作情報と外部表示装置３から情報通信部２２を介して入力された外部タッチ操作情報とのいずれか一方を出力画像生成部２５ｂに入力する。操作処理部２５ａは、本体タッチ操作情報と外部タッチ操作情報とのうち、外部タッチ操作情報を優先的に入力し、具体的には、外部タッチ操作情報と外部タッチ操作情報とが同時に入力されている場合、外部タッチ操作情報を出力画像生成部２５ｂに入力する。
【００１９】
出力画像生成部２５ｂは、操作処理部２５ａから入力された本体タッチ操作情報と外部タッチ操作情報とのいずれかのタッチ操作情報に応じた出力画像を例えばアプリケーションプログラムに従って生成する。
【００２０】
画像通信部２３は、出力画像生成部２５ｂから入力された画像信号を、通信ケーブル４を介して外部表示装置３に入力する。
【００２１】
表示部２４は、液晶ディスプレイ等の表示デバイスから構成され、出力画像生成部２５ｂから入力された画像信号に従った画像を表示する。
【００２２】
外部表示装置３のタッチパネル３１は、表示部３４の表示領域を覆うように貼付されており、ユーザの指などによるタッチ操作を検出する。タッチパネル３１は、検出したタッチ操作を表す情報である外部タッチ操作情報を、情報通信部３２に入力する。なお、外部タッチ操作情報や前述の本体タッチ操作情報は、操作が行われた位置を示す座標とＯＮ／ＯＦＦ情報が基本であり、押圧情報、傾き、範囲等を含む場合もある。また、外部表示装置３の表示部３４と情報処理装置２の表示部２４の表示領域の大きさの相違に起因するタッチ操作情報における座標の相違を解消するためのタッチ操作情報の座標変換は、情報処理装置２で行ってもよいし、外部表示装置３で行ってもよい。
【００２３】
情報通信部３２は、タッチパネル３１から入力された外部タッチ操作情報を通信ケーブル４を介して情報処理装置２の情報通信部２２に入力する。
【００２４】
画像通信部３３は、通信ケーブル４を介して、情報処理装置２から画像信号を受信し、表示部３４に入力する。
【００２５】
表示部３４は、液晶ディスプレイ等の表示デバイスから構成され、画像通信部３３から入力された画像信号に従った画像を表示する。
【００２６】
このように、表示システム１では、情報処理装置２が、本体タッチ操作情報と外部タッチ操作情報とが同時に入力された場合に外部タッチ操作情報を優先的に出力画像生成部２５ｂに出力する操作処理部２５ａを有する。そのため、情報処理装置２のタッチパネル２１の上に物が置いてある等して、情報処理装置２のタッチパネル２１へのタッチ操作と外部表示装置３のタッチパネル３１へのタッチ操作が同時に検出されたときにでも、外部表示装置３のタッチパネル３１へのタッチ操作に従った出力画像をクローン表示することができる。
【００２７】
図３は、図２の情報処理装置２の処理例を説明するフローチャートである。
まず、情報処理装置２では、操作処理部２５ａが、外部表示装置３が情報処理装置２に接続されているか否かを、情報通信部２２から受信した接続情報に基いて判定する（ステップＳ１）。
【００２８】
外部表示装置３が接続されていないと判定された場合（ＮＯの場合）、操作処理部２５ａは、情報処理装置２が内蔵したタッチパネル（以下、本体タッチパネルという）２１へタッチ操作されているか否かを、本体タッチ操作情報を本体タッチパネル２１から受信しているか否かに基いて判定する（ステップＳ２）。
【００２９】
本体タッチ操作情報をタッチパネル２１から受信しておらず、本体タッチパネル２１へタッチ操作されていないと判定された場合（ＮＯの場合）、ステップＳ１へ処理が戻される。一方、本体タッチ操作情報を本体タッチパネル２１から受信しており、本体タッチパネル２１へタッチ操作されていると判定された場合（ＹＥＳの場合）、操作処理部２５ａが本体タッチ操作情報を出力画像生成部２５ｂに入力し、出力画像生成部２５ｂが、本体タッチ操作情報に応じて、必要な場合は出力画像を更新し、表示部２４へ画像を出力し（ステップＳ３）、ステップＳ１へ処理が戻される。
【００３０】
また、ステップＳ１において、外部表示装置３が接続されていると判定された場合（ＹＥＳの場合）、操作処理部２５ａは、外部表示装置３から外部タッチ操作情報があるか否か、すなわち、外部タッチ操作情報を外部表示装置３から受信しているか否かを判定する（ステップＳ４）。これにより外部表示装置３のタッチパネル３１へタッチ操作されているか否かを判定する。
【００３１】
外部タッチ操作情報を外部表示装置３から受信しており、外部表示装置３のタッチパネル３１へタッチ操作されていると判定された場合（ＹＥＳの場合）、操作処理部２５ａが外部タッチ操作情報を出力画像生成部２５ｂに入力し、出力画像生成部２５ｂが、外部タッチ操作情報に応じて、必要な場合は出力画像を更新し、表示部２４へ画像を出力すると同時に画像通信部２３へ出力して外部表示装置３に表示させ（ステップＳ５）、ステップＳ４へ処理が戻される。
【００３２】
一方、ステップＳ４において、外部タッチ操作情報を外部表示装置３から受信しておらず、外部表示装置３のタッチパネル３１へタッチ操作されていないと判定された場合（ＮＯの場合）、操作処理部２５ａは、本体タッチパネル２１へタッチ操作されているか否かを、本体タッチ操作情報を本体タッチパネル２１から受信しているか否かに基いて判定する（ステップＳ６）。
【００３３】
本体タッチ操作情報を本体タッチパネル２１から受信しておらず、本体タッチパネル２１へタッチ操作されていないと判定された場合（ＮＯの場合）、ステップＳ１へ処理が戻される。一方、本体タッチ操作情報を本体タッチパネル２１から受信しており、本体タッチパネル２１へタッチ操作されていると判定された場合（ＹＥＳの場合）、操作処理部２５ａが本体タッチ操作情報を出力画像生成部２５ｂに入力し、出力画像生成部２５ｂが、本体タッチ操作情報に応じて、必要な場合は出力画像を更新し、表示部２４へ画像を出力すると同時に画像通信部２３へ出力して外部表示装置３に表示させる（ステップＳ７）。その後、ステップＳ４へ処理が戻される。
【００３４】
図４は、図３の処理を行った場合における情報処理装置及び外部表示装置の動作例を説明する図である。
表示システム１において、図４（Ａ）に示すように情報処理装置２の上部のＡ点からＢ点までをなぞるような操作がされている途中で、外部表示装置３の下部のＣ点からＤ点までをなぞるような操作が開始されたとする。この場合、上記操作に応じて、情報処理装置２及び外部表示装置３には、例えば、上部のＡ点からＢ点へ向かう線分が描かれると共に下部のＣ点からＤ点までの線分が描かれた画面が表示される。
しかし、上述のように情報処理装置２への操作途中に外部表示装置３への操作がなされた場合、情報処理装置２への操作は、ユーザが意図していない操作であること、例えば、第三者による操作であることが考えられる。したがって、以下の図５のような処理を行ってもよい。
【００３５】
図５は、図２の情報処理装置２の他の処理例を説明するフローチャートである。
本例では、情報処理装置２は、図３の例と同様に、本体タッチ操作情報を本体タッチパネル２１から受信し本体タッチパネル２１へタッチ操作されていると判定された場合に、操作処理部２５ａが本体タッチ操作情報を出力画像生成部２５ｂに入力し、出力画像生成部２５ｂが、本体タッチ操作情報に応じて、必要な場合は出力画像を更新する。しかし、ステップＳ４において、外部タッチ操作情報を外部表示装置３から受信しており、外部表示装置３のタッチパネル３１へタッチ操作されていると判定された場合（ＹＥＳの場合）に、出力画像の更新対象となっていない未処理の本体タッチ操作情報があったときは、当該未処理の本体タッチ操作情報を無効とする処理を行った後に（ステップＳ８）、ステップＳ５へ処理を進める。
【００３６】
このような処理を行うことで、図４（Ａ）に示すように情報処理装置２の上部のＡ点からＢ点までをなぞるような操作がされている途中で、外部表示装置３の下部のＣ点からＤ点までをなぞるような操作が開始されたときに、ユーザが意図していない操作であると予想される前者の操作を無効とし、後者の操作のみを有効とし、情報処理装置２及び外部表示装置３には、例えば、下部のＣ点からＤ点までの線分が描かれた画面を表示することができる。
【００３７】
図６は、本発明の第２の実施形態に係わる情報処理装置と外部表示装置の機能的な構成例を示すブロック図である。
図６の情報処理装置２´は、図２の情報処理装置２と異なり、制御部２５´が操作処理部２５ａ´及び出力画像生成部２５ｂに加えて、本体タッチパネル２１に対する連続タッチ時間を計時するタイマ２５ｃを有する。
【００３８】
操作処理部２５ａ´は、タイマ２５ｃで計時している連続タッチ時間が所定時間以上の場合、所定時間経過以降、連続タッチ継続中は、本体タッチ操作情報は出力せず、外部タッチ操作情報があった場合は外部タッチ操作情報を出力する。
【００３９】
このような構成により、本体タッチパネル２１の上に物が置かれている等のタッチしっぱなしによる不具合を解消することができる。
【００４０】
図７は、図６の情報処理装置２´の処理例を説明するフローチャートである。
本例は、本体タッチパネル２１へ所定の時間以上連続してタッチ操作が行われているかを示す内部タッチエラーフラグと、タイマ２５ｃが動作中であるかを示すタイマフラグを用いる例である。内部タッチエラーフラグの「１」は所定の時間以上連続してタッチ操作が行われていること、「０」は同タッチ操作が行われていないことをそれぞれ示す。また、タイマフラグの「１」は、タイマが動作中であること、「０」は動作中でないことをそれぞれ示す。
【００４１】
まず、情報処理装置２´では、操作処理部２５ａ´が、外部表示装置３が情報処理装置２´に接続されているか否かを、情報通信部２２から受信した接続情報に基いて判定する（ステップＳ１１）。
【００４２】
外部表示装置３が接続されていないと判定された場合（ＮＯの場合）、操作処理部２５ａ´は、本体タッチパネル２１へタッチ操作されているか否かを、本体タッチ操作情報を本体タッチパネル２１から受信しているか否かに基いて判定する（ステップＳ１２）。
【００４３】
本体タッチ操作情報を本体タッチパネル２１から受信しておらず、本体タッチパネル２１へタッチ操作されていないと判定された場合（ＮＯの場合）、ステップＳ１１へ処理が戻される。一方、本体タッチ操作情報を本体タッチパネル２１から受信しており、本体タッチパネル２１へタッチ操作されていると判定された場合（ＹＥＳの場合）、操作処理部２５ａ´が本体タッチ操作情報を出力画像生成部２５ｂに入力し、出力画像生成部２５ｂが、本体タッチ操作情報に応じて、必要な場合は出力画像を更新し、表示部２４へ画像を出力し（ステップＳ１３）、ステップＳ１１へ処理が戻される。
【００４４】
また、ステップＳ１１において、外部表示装置３が接続されていると判定された場合（ＹＥＳの場合）、操作処理部２５ａ´は、外部表示装置３から外部タッチ操作情報があるか否か、すなわち、外部タッチ操作情報を外部表示装置３から受信しているか否かを判定する（ステップＳ１４）。これにより外部表示装置３のタッチパネル３１へタッチ操作されているか否かを判定する。
【００４５】
外部タッチ操作情報を外部表示装置３から受信しており、外部表示装置３のタッチパネル３１へタッチ操作されていると判定された場合（ＹＥＳの場合）、操作処理部２５ａ´が外部タッチ操作情報を出力画像生成部２５ｂに入力し、出力画像生成部２５ｂが、外部タッチ操作情報に応じて、必要な場合は出力画像を更新し、表示部２４へ画像を出力すると同時に画像通信部２３へ出力して外部表示装置３に表示させる（ステップＳ１５）。その後、ステップＳ１４へ処理が戻される。
【００４６】
一方、ステップＳ１４において、外部タッチ操作情報を外部表示装置３から受信しておらず、外部表示装置３のタッチパネル３１へタッチ操作されていないと判定された場合（ＮＯの場合）、操作処理部２５ａは、内部タッチエラーフラグが１か否かを判定する（ステップＳ１６）。これにより、本体タッチパネル２１へ所定の時間以上連続してタッチ操作が行われているか否かを判定する。
【００４７】
内部タッチエラーフラグが１でないと判定された場合（ＮＯの場合）、所定の時間以上の連続タッチ操作がない場合、操作処理部２５ａ´は、情報処理装置２が本体タッチパネル２１へタッチ操作されているか否かを、本体タッチ操作情報を本体タッチパネル２１から受信しているか否かに基いて判定する（ステップＳ１７）。
【００４８】
本体タッチ操作情報を本体タッチパネル２１から受信しておらず、本体タッチパネル２１へタッチ操作されていないと判定された場合（ＮＯの場合）、ステップＳ１１へ処理が戻される。一方、本体タッチ操作情報を本体タッチパネル２１から受信しており、本体タッチパネル２１へタッチ操作されていると判定された場合（ＹＥＳの場合）、操作処理部２５ａ´がタイマフラグが０であるか否か判定する（ステップＳ１８）。
【００４９】
タイマフラグが０であると判定された場合（ＹＥＳの場合）、操作処理部２５ａ´がタイマ２５ｃをスタートさせタイマフラグを１にし（ステップＳ１９）、処理がステップＳ２３へ進められる。
【００５０】
一方、ステップＳ１８にてタイマフラグが０でないと判定された場合（ＮＯの場合）、操作処理部２５ａ´が、タイマの値が所定の時間以下か否か、本例では１０秒以下か否か判定する（ステップＳ２０）。上記所定の時間は、１０秒より長くても短くてもよいし、また、ユーザ設定などにより変更できるようにしてもよい。
【００５１】
ステップＳ２０にて１０秒以下であると判定された場合（ＹＥＳの場合）、処理がステップＳ２３へ進められるのに対し、１０秒以下でないと判定された場合（ＮＯの場合）、処理がステップＳ２１へ進められる。ステップＳ２１では、操作処理部２５ａ´が本体タッチ操作情報を出力画像生成部２５ｂに入力し、出力画像生成部２５ｂが、本体タッチ操作情報に応じて、必要な場合は出力画像を更新し、表示部２４へ画像を出力すると同時に画像通信部２３へ出力して外部表示装置３に表示させる。そして、操作処理部２５ａ´が、タイマ２５ｃをリセットし、タイマフラグを０にし、内部タッチエラーフラグを１にし（ステップＳ２２）、処理がステップＳ１１へ戻される。
【００５２】
ステップＳ２３では、操作処理部２５ａ´が本体タッチ操作情報を出力画像生成部２５ｂに入力し、出力画像生成部２５ｂが、本体タッチ操作情報に応じて、必要な場合は出力画像を更新し、表示部２４へ画像を出力すると同時に画像通信部２３へ出力して外部表示装置３に表示させる（ステップＳ２１）。そして、ステップＳ１４へ処理が戻される。
【００５３】
また、ステップＳ１６にて内部タッチエラーフラグが１であると判定された場合（ＹＥＳの場合）、本体タッチパネル２１に所定の時間（１０秒）以上連続して触っていることになり、物が本体タッチパネル２１に乗っている等のユーザによるタッチ操作でない操作であると推測できるため、本体タッチパネル２１にタッチ操作があったとしてもタッチ操作情報を出力しない。そして、操作処理部２５ａ´が、本体タッチパネル２１へタッチ操作されているか否かを、本体タッチ操作情報を本体タッチパネル２１から受信しているか否かに基いて判定する（ステップＳ２４）。そして、タッチ操作されていると判定された場合（ＹＥＳの場合）は、ステップＳ１４へ処理が戻され、タッチ操作されていないと判定された場合（ＮＯの場合）は、本体タッチパネル２１に乗っていた物が排除されたと推測できるため、操作処理部２５ａ´が内部タッチエラーフラグを０に戻したうえで（ステップＳ２５）、ステップＳ１４へ処理が戻される。
【００５４】
情報処理装置は、タッチパネル付きの外部表示装置に接続可能であり、内蔵するタッチパネルと画像を表示する表示部と、を有し、さらに、外部表示装置のタッチパネルへのタッチ操作情報と、内蔵するタッチパネルに対するタッチ操作情報とを受信し、いずれか一方を出力する操作処理部と、該操作処理部が出力したタッチ操作情報を受信し、該タッチ操作情報に応じた画像を外部表示装置と表示部とにクローン表示するための出力画像を生成する出力画像生成部を備え、操作処理部が、外部表示装置のタッチパネルへのタッチ操作情報と、内蔵するタッチパネルに対するタッチ操作情報とが同時に入力された場合、外部表示装置のタッチパネルへのタッチ操作情報を優先して出力する。これにより、内蔵するタッチパネルへのタッチ操作と外部表示装置のタッチパネルへのタッチ操作が同時に検出された場合でもタッチ操作に応じたクローン表示を行うことができる。
【００５５】
情報処理装置は、内蔵するタッチパネルに対する連続タッチ時間を計時するタイマを備え、連続タッチ時間が所定時間以上の場合、操作処理部が、外部表示装置のタッチパネルへのタッチ操作情報のみを出力するようにしてもよい。これにより、情報処理装置のタッチパネルに対する所定時間以上のタッチ操作を無効とすることができる。
【符号の説明】
【００５６】
１…表示システム、２…情報処理装置、３…外部表示装置、４…通信ケーブル、２１…タッチパネル、２２…情報通信部、２３…画像通信部、２４…表示部、２５…制御部、２５ａ…操作処理部、２５ｂ…出力画像生成部、２５ｃ…タイマ、３１…タッチパネル、３２…情報通信部、３３…画像通信部、３４…表示部。
【図１】
2015122012.tif 000003
【図２】
2015122012.tif 000004
【図３】
2015122012.tif 000005
【図４】
2015122012.tif 000006
【図５】
2015122012.tif 000007
【図６】
2015122012.tif 000008
【図７】
2015122012.tif 000009